(57)【要約】【課題】  簡単な構成によって部品点数の削減およびコンパクト化を図ることができる物品払い出し装置を提供する。【解決手段】  物品払い出し装置Ａは、物品Ｃを鉛直方向に積み重ねた状態で蓄積可能な複数のストッカ２と、複数のストッカ２を鉛直軸周りに回転させるためのストッカ回転機構３と、複数のストッカ２の底側に添うように設けられ、これらのストッカ２が回転停止させられる所定箇所に、ストッカ２の底側から物品Ｃを抜け落ち可能としてその物品Ｃを受け止めるための受け止め部１０Ａをもつベース部材１０と、受け止め部１０Ａにおいて所定の水平方向に前進移動および後退移動するように設けられ、所定の前進位置にあるとき、ストッカ２の底側を閉塞する一方、所定の後退位置まで移動すると、ストッカ２の底側を開放する水平移動部材４とを備えている。【選択図】  図１
2007179158.tif 000002
【特許請求の範囲】
【請求項１】
チップ状の物品を払い出すための物品払い出し装置であって、
それぞれが上記物品を鉛直方向に積み重ねた状態で蓄積可能であるとともに、これらの物品が底側から抜け落ち可能に形成され、かつ、鉛直軸周りに環状に配置された複数のストッカと、
上記複数のストッカを上記鉛直軸周りに回転させるためのストッカ回転機構と、
上記複数のストッカの底側に添うように設けられたベース部材と、
上記ベース部材において上記ストッカが回転停止させられる所定箇所に形成され、上記ストッカの底側から上記物品を抜け落ち可能としてその物品を受け止めるための受け止め部と、
上記受け止め部において所定の前進位置と後退位置との間を水平移動可能な水平移動部材とを備え、
上記水平移動部材は、上記所定の前進位置にあるとき、上記ストッカの底側を閉塞した状態でその底側から上記物品を抜け落ち不可とする一方、上記所定の後退位置まで移動すると、上記ストッカの底側を開放した状態でその底側から上記物品を抜け落ち可能とするとともに、抜け落ちた物品を前方に向けて押し出し可能な状態とすることを特徴とする、物品払い出し装置。
【請求項２】
上記水平移動部材は、クランク機構によって上記所定の前進位置から後退位置との間を往復移動するように構成されている、請求項１に記載の物品払い出し装置。
【請求項３】
上記ストッカ回転機構によって上記複数のストッカが回転させられる際、これらのストッカが上記受け止め部に到達するごとにその状態を検知して回転停止させるための回転状態検知機構が設けられている、請求項１または２に記載の物品払い出し装置。
【請求項４】
上記受け止め部に位置した状態の上記ストッカにおける上記物品の蓄積状態を検知し、蓄積無しの状態を検知すると、上記ストッカ回転機構に対して上記複数のストッカを回転させることを指令するための蓄積状態検知機構が設けられている、請求項３に記載の物品払い出し装置。
【請求項５】
上記各ストッカは、鉛直方向に長手状で両端に折り曲げ部をもつ一対の側板からなり、これらの側板は、上記物品の収容空間を形成するように水平方向に所定間隔あけて対向配置されている、請求項１ないし４のいずれかに記載の物品払い出し装置。
【請求項６】
上記受け止め部は、上記物品の厚みに相当する所定の深さをもって凹状に形成されている、請求項１ないし５のいずれかに記載の物品払い出し装置。
【請求項７】
請求項１ないし６のいずれかに記載の物品払い出し装置を備えたことを特徴とする、ゲーム機。
【発明の詳細な説明】
【技術分野】
【０００１】
本願発明は、たとえばゲームに関する各種情報が記録された記録チップを払い出すための物品払い出し装置、およびこれを備えたゲーム機に関する。
【背景技術】
【０００２】
ゲーム用の景品（物品）を払い出し可能な従来の物品払い出し装置としては、たとえば特許文献１に開示されたものがある。この物品払い出し装置は、景品を鉛直方向に積み重ねた状態で収納する複数のカセットと、これらのカセットから下方に景品を取り出し、取り出した景品を所定の水平方向に搬送するベルトコンベア状の景品取り出し手段と、所望とするカセットを選択してそのカセットを景品取り出し手段に接近させるカセット選択手段とを備えている。複数のカセットは、これらの上方から見てマトリクス状に配置されており、景品取り出し手段は、カセットの各列と対応するように配置されている。ある１つのカセットの景品を払い出す際には、そのカセットが下方の景品取り出し手段に近づけられ、さらにそのカセット内の最下段に収納された景品のみが機械的な仕掛けによって水平移動可能に保持される。その後、景品取り出し手段のベルトが回転駆動させられ、このベルトの表面一部に設けられた押動体が最下段の景品を水平方向に押し出し、その結果、所定の払い出し口から景品が払い出される。
【０００３】
【特許文献１】特開２００５−２１１６８６号公報
【発明の開示】
【発明が解決しようとする課題】
【０００４】
しかしながら、上記従来の物品払い出し装置では、カセットから景品を取り出してその景品を払い出し口へと移動させる仕組みが大仕掛けで複雑であり、たとえばカセットには、最下段の景品のみを水平方向に取り出すのに機械的に凝った仕掛けや部品を設けなければならない。このような点から物品払い出し装置としては、簡単な構成によって部品点数の削減およびコンパクト化を図る余地があった。
【０００５】
本願発明は、上記した事情のもとで考え出されたものであり、簡単な構成によって部品点数の削減およびコンパクト化を図ることができる物品払い出し装置、およびこれを備えたゲーム機を提供することを課題としている。
【課題を解決するための手段】
【０００６】
上記課題を解決するため、本願発明では、次の技術的手段を講じている。
【０００７】
本願発明の第１の側面によって提供される物品払い出し装置は、チップ状の物品を払い出すための物品払い出し装置であって、それぞれが上記物品を鉛直方向に積み重ねた状態で蓄積可能であるとともに、これらの物品が底側から抜け落ち可能に形成され、かつ、鉛直軸周りに環状に配置された複数のストッカと、上記複数のストッカを上記鉛直軸周りに回転させるためのストッカ回転機構と、上記複数のストッカの底側に添うように設けられたベース部材と、上記ベース部材において上記ストッカが回転停止させられる所定箇所に形成され、上記ストッカの底側から上記物品を抜け落ち可能としてその物品を受け止めるための受け止め部と、上記受け止め部において所定の前進位置と後退位置との間を水平移動可能な水平移動部材とを備え、上記水平移動部材は、上記所定の前進位置にあるとき、上記ストッカの底側を閉塞した状態でその底側から上記物品を抜け落ち不可とする一方、上記所定の後退位置まで移動すると、上記ストッカの底側を開放した状態でその底側から上記物品を抜け落ち可能とするとともに、抜け落ちた物品を前方に向けて押し出し可能な状態とすることを特徴としている。
【０００８】
好ましい実施の形態としては、上記水平移動部材は、クランク機構によって上記所定の前進位置から後退位置との間を往復移動するように構成されている。
【０００９】
好ましい実施の形態としては、上記ストッカ回転機構によって上記複数のストッカが回転させられる際、これらのストッカが上記受け止め部に到達するごとにその状態を検知して回転停止させるための回転状態検知機構が設けられている。
【００１０】
好ましい実施の形態としては、上記受け止め部に位置した状態の上記ストッカにおける上記物品の蓄積状態を検知し、蓄積無しの状態を検知すると、上記ストッカ回転機構に対して上記複数のストッカを回転させることを指令するための蓄積状態検知機構が設けられている。
【００１１】
好ましい実施の形態としては、上記各ストッカは、鉛直方向に長手状で両端に折り曲げ部をもつ一対の側板からなり、これらの側板は、上記物品の収容空間を形成するように水平方向に所定間隔あけて対向配置されている。
【００１２】
好ましい実施の形態としては、上記受け止め部は、上記物品の厚みに相当する所定の深さをもって凹状に形成されている。
【００１３】
本願発明の第２の側面によって提供されるゲーム機は、上記第１の側面に係る物品払い出し装置を備えたことを特徴としている。
【００１４】
このような物品払い出し装置においては、複数のストッカが回転していずれか１つのストッカが受け止め部に停止した状態となる。その後、水平移動部材が所定の前進停止位置から後退停止位置に移動すると、ストッカから受け止め部に物品が抜け落ちる。さらにその後、水平移動部材が所定の後退停止位置から前進停止位置へと移動すると、受け止め部に落ちた物品が前方に押し出され、たとえばゲーム機の外部へと物品が払い出される。したがって、このような構成によれば、ストッカから外部へと物品を払い出すための仕組みが簡素に構成されているので、簡単な構成によって部品点数の削減およびコンパクト化を図ることができる。
【００１５】
本願発明のその他の特徴および利点は、添付図面を参照して以下に行う詳細な説明によって、より明らかとなろう。
【発明を実施するための最良の形態】
【００１６】
以下、本願発明の好ましい実施の形態について、図面を参照して具体的に説明する。
【００１７】
図１〜図８は、本願発明が適用された物品払い出し装置の一実施形態を示している。図１に示す物品払い出し装置Ａは、一例として図２に示すようなアーケード用のゲーム機Ｂに備えられる。ゲーム機Ｂは、ゲームに関する各種情報が記録された記録チップＣをスロットＢ１に装着してゲームを行うものであり、記録チップＣから読み出した情報に基づいて表示部Ｂ２にゲーム画面を表示する。このようなゲーム機Ｂにおいては、プレイヤがコインを投入口Ｂ３に入れると、物品払い出し装置Ａによって払い出し口Ｂ４から記録チップＣが払い出される。
【００１８】
図１に示すように、物品払い出し装置Ａは、受け止め部１０Ａが設けられた下側のベース部材１０、上側のカバー部材１１、左右一対の側壁部材１２、および後側の補助部材１３を互いに組み合わせた枠組みを備える。この物品払い出し装置Ａは、複数のストッカ２、ストッカ回転機構３、水平移動部材４、クランク機構５（図３参照）、回転状態検知機構６、および蓄積状態検知機構７を有して構成されている。
【００１９】
ストッカ２は、複数の記録チップＣを鉛直方向に積み重ねた状態で蓄積する一方、これらの記録チップＣが底側から抜け落ち可能なものである。複数のストッカ２は、ベース部材１０とカバー部材１１との間で鉛直軸周りに回転可能な軸体２Ａに一体化されており、この軸体２Ａの周りに等間隔に環状をなすように配列されている。各ストッカ２は、鉛直方向に長手状で両端に折り曲げ部２０Ａをもつ左右一対の側板２０からなる。対をなす側板２０は、これらの間に記録チップＣを蓄積可能な内部空間を形成するように左右に所定間隔あけて対向配置されている。側板２０の折り曲げ部２０Ａは、内部側に向けて折り曲げられており、この折り曲げ部２０Ａは、内部空間に収められた記録チップＣの角部を規制している。これにより、記録チップＣは、ストッカ２の内部において整然と積み重なった状態で蓄積される。左右の側板２０の間には、記録チップＣの横幅よりも小さい隙間２０Ｂ（図５参照）が設けられており、この隙間２０Ｂから記録チップＣの蓄積状態を確認することができる。側板２０の下端一部には、記録チップＣの蓄積状態を光学的に検知するための孔２０Ｃが設けられている。
【００２０】
ストッカ２の底側は、受け止め部１０Ａを除いてベース部材１０の上面とほとんど接するように配置されている。これにより、ストッカ２は、上記受け止め部１０Ａと対応した位置をとらない限り、その底側から記録チップＣが抜け落ちないようになっている。ストッカ２の上側については、記録チップＣを補充しやすいように一部のストッカ２がカバー部材１１で覆われないようになっている。このようなストッカ２は、ストッカ回転機構３によって鉛直軸周りに一体的に回転させられる。上記受け止め部１０Ａは、上記ベース部材１０における手前側の所定箇所に設けられている。この受け止め部１０Ａに対応させて上記ストッカ２が順次回転停止させられる。このとき、ストッカ２の底側から記録チップＣが抜け落ち、その記録チップＣが受け止め部１０Ａに受け止められるようになっている。受け止め部１０Ａはまた、図３および図４に示すように、記録チップＣの厚みと同程度の深さで凹状に形成されており、この受け止め部１０Ａの内部に水平移動部材４が配置されている。
【００２１】
ストッカ回転機構３は、駆動モータ３０、駆動軸３１、および複数のギア３２Ａ〜３２Ｄによって構成されている。駆動モータ３０は、ベース部材１０の後端側に設置されており、この駆動モータ３０によって駆動軸３１の先端部に固定されたギア３２Ａが回転させられる。複数のギア３２Ａ〜３２Ｄは、カバー部材１１の上面側で噛み合うように設けられており、最後列のギア３２Ｃ，３２Ｄは、ウェブワッシャー３３（図６参照）を介して一体的に回転するようになっている。図５および図６に示すように、ギア３２Ｄは、軸体２Ａの先端部に固定されたギア２Ｂと噛み合っている。このようなストッカ回転機構３は、図示しない制御コンピュータによって駆動モータ３０の動作がオンオフされるようになっている。
【００２２】
水平移動部材４は、ストッカ２からベース部材１０の受け止め部１０Ａに記録チップＣを抜け落とさせ、その受け止め部１０Ａから前方へと記録チップＣを押し出すものである。この水平移動部材４は、記録チップＣの厚みと同程度の厚みをもち、平面的には記録チップＣと同程度の大きさからなる。このような水平移動部材４は、クランク機構５によって水平方向に往復移動させられ、受け止め部１０Ａの内部で所定の前進位置から後退位置へと、あるいはその逆向きに移動させられる。すなわち、水平移動部材４は、図４に実線で示すように所定の前進位置にあるとき、受け止め部１０Ａに位置するストッカ２の底側を閉塞した状態とし、このストッカ２の最下段に収められた記録チップＣの下面に当接する。基本的には、記録チップＣを払い出す前の待機時やストッカ２が回転する際、水平移動部材４は前進位置にある。これにより、ストッカ２に蓄積された記録チップＣは、受け止め部１０Ａに抜け落ちることはない。一方、受け止め部１０Ａにストッカ２が位置した状態で、水平移動部材４が図４に仮想線で示すように所定の後退位置まで移動すると、ストッカ２の底側が開放した状態となり、このストッカ２の最下段にある記録チップＣが水平移動部材４と当接した状態が解除される。その結果、ストッカ２の内部に積み重ねられた記録チップＣは、その１個分の厚みと同程度だけ全体的にずれ下がり、最下段の記録チップＣがストッカ２の底側から抜け落ちて受け止め部１０Ａに受け止められる。その後、そのまま水平移動部材４が後退位置から前進位置へと移動すると、受け止め部１０Ａに落ちた１個の記録チップＣが水平移動部材４によって前方に押し出され、この記録チップＣが外部へと排出される。このとき、水平移動部材４は、ストッカ２の底側を再び閉塞した状態とし、新たに最下段となった記録チップＣの下面に当接した状態となる。このようにして記録チップＣを払い出す際には、水平移動部材４が前進位置から後退位置を経て再び前進位置へと移動するように１往復動作させられる。
【００２３】
図３に示すように、クランク機構５は、図示しないモータによって中間部５０Ａを支点に回転させられるＬ字状のクランク５０、クランク５０の一端部５０Ｂと水平移動部材４の下部に回転自在に連結されたロッド５１、およびクランク５０の他端部５０Ｃを検知するクランクセンサ５２によって構成されている。受け止め部１０Ａの底側には、図４に示すように、水平移動部材４とロッド５１とを連結するピン５３が貫通して前後にスライド可能となるように長孔１０Ｂが設けられている。水平移動部材４が前進位置にあるとき、クランク５０の他端部５０Ｃは、クランクセンサ５２によって検知される位置にある。この状態からクランク５０が１回転すると、水平移動部材４が前進位置から後退位置を経て前進位置へと往復移動する。このとき、他端部５０Ｃが再びクランクセンサ５２によって検知されることでクランク５０の回転が停止させられ、水平移動部材４が前進位置に止まる。すなわち、記録チップＣを払い出す際には、クランク５０が確実に１回転させられ、水平移動部材４が前進位置を始点に１往復するように移動させられる。
【００２４】
図５に示すように、回転状態検知機構６は、図５に図示しないカバー部材１１の上面側において軸体２Ａの先端部に固定された円板カム６０、この円板カム６０の回転に応じて間欠的に揺動する従動アーム６１、および従動アーム６１の先端部６１Ａを検知するカムセンサ６２によって構成されている。円板カム６０の外周には、各ストッカ２の配列位置に対応してカム溝６０Ａが設けられている。従動アーム６１の基端部６１Ｂは、カバー部材１１に回転自在に支持されており、従動アーム６１の中間部には、円板カム６０のカム溝６０Ａに緩く嵌るピン６１Ｃが設けられている。従動アーム６１の先端部６１Ａは、バネ６３によって常に円板カム６０の方に弾性付勢されており、これにより、カム溝６０Ａを含む円板カム６０の外周に従動アーム６１のピン６１Ｃが常に添うようになっている。このような回転状態検知機構６では、ストッカ２とともに円板カム６０が回転し、ある１つのストッカ２が受け止め部１０Ａの位置にくると、従動アーム６１のピン６１Ｃが円板カム６０のカム溝６０Ａに嵌った状態となる。すると、従動アーム６１の先端部６１Ａがカムセンサ６２によって検知され、それに応じて制御コンピュータは、ストッカ回転機構３の駆動モータ３０の動作を停止させる。これにより、各ストッカ２が確実に受け止め部１０Ａの位置に止まる。各ストッカ２が受け止め部１０Ａの位置にないときは、従動アーム６１の先端部６１Ａがカムセンサ６２によって検知されない位置まで振れており、そのため、いずれかのストッカ２が受け止め部１０Ａの位置に達するまでストッカ２の回転が続けられる。
【００２５】
再び図１に示すように、蓄積状態検知機構７は、たとえば光遮蔽型のセンサ機構からなり、発光体７１および受光体７２で構成されている。発光体７１および受光体７２は、受け止め部１０Ａに位置するストッカ２の左右両側となるベース部材１０の適部に設置されている。ストッカ２に蓄積された記録チップＣがないとき、発光体７１から発せられた光がストッカ２の孔２０Ｃを通って受光体７２に達し、ストッカ２に１個でも記録チップＣがあるとき、発光体７１からの光がストッカ２の内部にある記録チップＣに遮断されることで受光体７２に達しない。これにより、制御コンピュータは、受け止め部１０Ａに現在位置するストッカ２の蓄積有無を判断し、蓄積無しと判断した場合、制御コンピュータは、次のストッカ２が受け止め部１０Ａと対応した位置に来るようにストッカ回転機構３の駆動モータ３０を動作させ、そのストッカ２が上記回転状態検知機構６によって受け止め部１０Ａの位置まで回転した状態が検知されると、駆動モータ３０の動作を停止させる。
【００２６】
次に、物品払い出し装置Ａの動作について説明する。
【００２７】
まず、待機時においては、図４に実線で示すように、ある１つのストッカ２が受け止め部１０Ａの位置に停止した状態にある。水平移動部材４は、前進位置にあってストッカ２の底側を閉塞した状態にあり、このストッカ２に蓄積された最下段の記録チップＣの下面全体を支持している。
【００２８】
記録チップＣを払い出す際には、クランク機構５が動作し、それに応じて水平移動部材４が前進位置から後退位置を経て再び前進位置へと１往復するように移動する。このとき、図７に示すように、水平移動部材４が前進位置から後退位置へと移動するにつれ、徐々にストッカ２の底側が開放され、この水平移動部材４が最下段の記録チップＣの下面から離れてゆく。そのため、最下段の記録チップＣは、ストッカ２の底側から受け止め部１０Ａへとずり落ちる。
【００２９】
図４に仮想線で示すように、水平移動部材４が後退位置に達すると、ストッカ２の底側が完全に開放され、このストッカ２の底側から最下段の記録チップＣが完全に抜け落ちた状態となる。すなわち、受け止め部１０Ａの内部には、１つの記録チップＣが完全に収容された状態となる。
【００３０】
その後、図８に示すように、水平移動部材４が後退位置から前進位置へと移動するにつれ、この水平移動部材４が受け止め部１０Ａに収容された最下段の記録チップＣを前方に向けて押し出す。水平移動部材４によって前方に押し出された記録チップＣは、ゲーム機Ｂの払い出し口Ｂ４から払い出されることとなる。このとき、水平移動部材４は、最下段より１つ上の段に位置する記録チップＣ（次に払い出される予定のもの）の下面に当接しながらストッカ２の底側を再び閉塞する。これにより、次に払い出される予定の記録チップＣは、受け止め部１０Ａに落ちることなくストッカ２の最下段に保持された状態となる。
【００３１】
以上のような一連の払い出し動作がコインの投入ごとに行われ、最終的にストッカ２に蓄積された記録チップＣが無くなった状態になると、現時点で受け止め部１０Ａに位置するストッカ２について蓄積無しの状態が蓄積状態検知機構７によって検知される。
【００３２】
蓄積状態検知機構７によって蓄積無しの状態が検知されると、図９に示すように、ストッカ回転機構３によって複数のストッカ２が全体的に回転させられる。このとき、回転状態検知機構６においては、従動アーム６１のピン６１Ｃが円板カム６０のカム溝６０Ａから外れた状態となり、それに応じて従動アーム６１の先端部６１Ａがカムセンサ６２によって検知されない状態となる。
【００３３】
その後、さらにストッカ２が回転すると、従動アーム６１のピン６１Ｃが円板カム６０のカム溝６０Ａに嵌った状態となり、それに応じて従動アーム６１の先端部６１Ａがカムセンサ６２によって検知される。このとき、カムセンサ６２からの検知信号が制御コンピュータに出力される。検知信号を受けた制御コンピュータは、ストッカ回転機構３によるストッカ２の回転動作を停止させる。すなわち、全ての記録チップＣが無くなったストッカ２の隣りで次順に位置するストッカ２が再び受け止め部１０Ａに位置した状態となる。これにより、受け止め部１０Ａにおいては、その位置にあるストッカ２が蓄積無しの状態になるごとに次順のストッカ２に自動的に交替させられ、全てのストッカ２が蓄積無しの状態になるまで多くの記録チップＣを払い出すことができる。
【００３４】
ストッカ２に記録チップＣを補充する際には、ゲーム機Ｂの下部扉Ｂ５（図２参照）を開き、物品払い出し装置Ａにおいてカバー部材１１よりも手前側に位置するストッカ２に上方から記録チップＣを入れればよい。カバー部材１１で隠れたストッカ２については、円板カム６０を手で回すなどしてストッカ２を手前側の位置まで移動させ、その後、そのストッカ２に上方から記録チップＣを入れればよい。手動で円板カム６０を回す際には、ギア３２Ｃ，３２Ｄの間においてウェブワッシャー３３が滑るため、駆動モータ３０側の停止した状態にあるギア３２Ｃに対して軸体２Ａ側のギア３２Ｄが自由に回転させられる。これにより、空になった全てのストッカ２に対して簡単に記録チップＣを補充することができる。なお、記録チップＣの詰まり発生などによってストッカ２の回転に支障が生じた場合においても、ギア３２Ｃ，３２Ｄの間においてウェブワッシャー３３が滑る。そのため、駆動モータ３０側のギア３２Ｃが回転に支障が生じた側のギア３２Ｄに対して空転し、記録チップＣが詰まった状態のまま無理な力でストッカ２が回転させられることはない。また、ゲーム機Ｂの下部扉Ｂ５の開放時には、物品払い出し装置Ａに電流が流れないようになっている。
【００３５】
したがって、本実施形態の物品払い出し装置Ａによれば、記録チップＣを蓄積しておくための複数のストッカ２が簡単な構成からなり、これらのストッカ２から記録チップＣを払い出す仕組みとしても、水平移動部材４を１往復移動させたり、複数のストッカ２を全体的に回転させるだけでよいので、機械的に単純な構成によって所定の払い出し動作を実現することができ、ひいては部品点数の削減や装置全体のコンパクト化を図ることができる。
【００３６】
なお、本願発明は、上記実施形態に限定されるものではない。
【００３７】
物品払い出し装置としては、たとえばゲーム機とは別体とし、装置単体で景品としての物品を払い出すようなものであってもよい。
【００３８】
上記実施形態では、ストッカが空になるごとに次のストッカを受け止め部まで移動させて記録チップを払い出すようにしているが、他の実施形態としては、ストッカ内の記録チップがストッカ内に規則性をもって並べられている場合にプレイヤに次に払い出される記録チップを予想されることを防止するため、または、払い出しに抽選的意味合いをもたせてプレイヤの興趣を高めるため、払い出しの対象となるストッカをランダムに決定し、記録チップの払い出しごとに受け止め部におけるストッカを交替させるようにしてもよい。また、記録チップが複数の種類に分けられる場合には、各ストッカに番号を割り当てておくとともに、同一種の記録チップを同じストッカに入れておくようにし、プレイヤの選択操作あるいはコンピュータによるランダムな選定によって払い出しの対象となるストッカの番号を決定するようにしてもよい。
【図面の簡単な説明】
【００３９】
【図１】本願発明が適用された物品払い出し装置の一実施形態を示す全体斜視図である。
【図２】図１の物品払い出し装置を備えたゲーム機の外観を示す全体斜視図である。
【図３】図１の物品払い出し装置の下部を示す斜視図である。
【図４】図３のIV−IV線に沿う断面図である。
【図５】図１の物品払い出し装置の上部を示す上面図である。
【図６】図１の物品払い出し装置の上部側面を側面図である。
【図７】図１の物品払い出し装置の動作を説明するための説明図である。
【図８】図１の物品払い出し装置の動作を説明するための説明図である。
【図９】図１の物品払い出し装置の動作を説明するための説明図である。
【符号の説明】
【００４０】
Ａ      物品払い出し装置
Ｂ      ゲーム機
Ｃ      記録チップ（物品）
１０    ベース部材
１０Ａ  受け止め部
２      ストッカ
２０    側板
２０Ａ  折り曲げ部
３      ストッカ回転機構
４      水平移動部材
５      クランク機構
６      回転状態検知機構
７      蓄積状態検知機構
【図１】
2007179158.tif 000003
【図２】
2007179158.tif 000004
【図３】
2007179158.tif 000005
【図４】
2007179158.tif 000006
【図５】
2007179158.tif 000007
【図６】
2007179158.tif 000008
【図７】
2007179158.tif 000009
【図８】
2007179158.tif 000010
【図９】
2007179158.tif 000011